(57)【要約】【課題】フイルムパトローネの装填を容易にするドロップインローディング方式のカメラを提供する。【解決手段】アパーチャ３０のスプール室２６側にはガイド部材４０が設けられている。ガイド部材４０はカメラ本体１４に回動可能に軸支され、裏蓋１８の開放時にはフイルム走行面２８上に進出する。フイルムパトローネ１２を装填口３６に挿入すると、フイルムリーダー部２２ｂの側縁がガイド部材４０に案内され、スプロケット３４の歯３４ａを乗り越えて定位置まで案内される。裏蓋１８を閉じるとガイド部材４０はスプール室２６側に回転され、フイルム走行面２８上から退避し、ガイド部材４０の一部はスプール室２６の壁面の一部を構成する。【選択図】  図１
2005274998.tif 000002
【特許請求の範囲】
【請求項１】
カメラ本体と、該カメラ本体の一方側に設けられたパトローネ室と、カメラ本体の他方側に設けられ、前記パトローネ室に装填されたフイルムパトローネのフイルムを巻き取るスプール軸を備えたスプール室と、前記パトローネ室と前記スプール室との間のフイルム搬送路上に設けられ、フイルムのパーフォレーションと係合して前記フイルムを前記スプール室に送るスプロケットとを有し、前記フイルムパトローネを前記パトローネ室にパトローネ軸方向に挿入するようにしたドロップインローディング方式のカメラにおいて、
カメラ本体に形成されたアパーチャ部の前記スプール室側に、回動可能なガイド部材を設け、該ガイド部材は、裏蓋を開放して前記フイルムパトローネを装填する時には前記スプロケットを乗り越えるようにフイルムリーダー部を案内することを特徴とするドロップインローディング方式のカメラ。
【請求項２】
前記ガイド部材は前記スプロケットよりもパトローネ挿入方向入口側に設けられていることを特徴とする請求項１に記載されたドロップインローディング方式のカメラ。
【請求項３】
前記ガイド部材のパトローネ挿入口側には、フイルムを案内する傾斜ガイド面が形成されていることを特徴とする請求項２に記載されたドロップインローディング方式のカメラ。
【請求項４】
前記ガイド部材は、前記裏蓋を閉じると、裏蓋の一部に押圧されて回動し、前記スプール室の一部を形成することを特徴とする請求項３に記載されたドロップインローディング方式のカメラ。
【発明の詳細な説明】
【技術分野】
【０００１】
本発明はドロップインローディング方式のカメラに関する。
【背景技術】
【０００２】
１３５タイプのフイルムパトローネを使用するカメラのフイルム装填方式としてドロップインローディング（ＤＩＬ）方式が知られている。
【０００３】
ＤＩＬ方式は、カメラの裏蓋を開き、カメラの底面のパトローネ室の装填口にフイルムパトローネの軸方向に沿ってフイルムパトローネを落とし込むように装填するものである。
【０００４】
このＤＩＬ方式には、パトローネ軸が突出していない方向（フイルムリーダー部の切り欠きが形成された方向）からフイルムパトローネをパトローネ室に装填する方式（以下、順装填ＤＩＬ方式と称する。特許文献１参照。）と、パトローネ軸が突出した方向（フイルムリーダー部の切り欠きが形成されていない方向）からフイルムパトローネをパトローネ室に装填する方式（以下、逆装填ＤＩＬ方式と称する。特許文献２参照）とがあるが、カメラ本体のコンパクト化を図るには逆装填ＤＩＬ方式が有利とされている。すなわち、順装填ＤＩＬ方式のカメラの場合、カメラ本体を正面側から見て右端にパトローネ室が形成されるが、通常カメラ本体の右上端にはストロボユニットが配設されるため、このストロボユニットとパトローネ室との干渉を避けてレイアウトする関係上、カメラ本体の高さ方向の寸法が逆装填ＤＩＬ方式より大きくなってしまう。したがって、カメラ本体の左端にパトローネ室が形成される逆装填ＤＩＬ方式が、カメラ本体のコンパクト化には有利とされる。
【０００５】
ところで、カメラ本体のアパーチャ上部のフイルム室側にはフイルム先端（フイルムリーダー部）をフイルム巻き取り用のスプールにキャッチさせる初期送り用のスプロケットが配置されているが、逆装填ＤＩＬ方式におけるフイルムパトローネの装填時、フイルムリーダー部の縁部がこのスプロケットの歯側面に突き当たり、正規の位置まで挿入できない場合がある。これにより、スプロケットの歯にフイルムのパーフォレーションが噛み合わず、フイルムの初期送りが行なわれない不具合があった。ここで仮に、スプロケットをアパーチャ下部に配置した場合にはこのような不具合は解決されるものの、逆装填ＤＩＬ方式におけるフイルムリーダー部の形状は、フイルムパトローネ挿入方向に対して下側がカットされているためスプロケットにパーフォレーションが噛み合わず、このような態様での実現は困難である。
【０００６】
これを解決するために前記特許文献２では、スプロケットの歯を突設自在に設けてフイルム給送路から退避可能とし、フイルムリーダー部と歯との干渉を防止する技術が知られている。
【特許文献１】実公平０５−２２９２４号公報
【特許文献２】特開２００２−１２２９３３号公報
【発明の開示】
【発明が解決しようとする課題】
【０００７】
しかし、このようなカメラではスプロケットの構造が複雑となり、部品点数が増加する問題があった。
【０００８】
本発明はこのような事情に鑑みてなされたもので、簡単な構造でフイルムパトローネの装填が容易に行なえるドロップインローディング方式のカメラを提供することを目的とする。
【課題を解決するための手段】
【０００９】
本発明は前記目的を達成するために、カメラ本体と、該カメラ本体の一方側に設けられたパトローネ室と、カメラ本体の他方側に設けられ、前記パトローネ室に装填されたフイルムパトローネのフイルムを巻き取るスプール軸を備えたスプール室と、前記パトローネ室と前記スプール室との間のフイルム搬送路上に設けられ、フイルムのパーフォレーションと係合して前記フイルムを前記スプール室に送るスプロケットとを有し、前記フイルムパトローネを前記パトローネ室にパトローネ軸方向に挿入するようにしたドロップインローディング方式のカメラにおいて、アパーチャ部の前記スプール室側に、回動可能なガイド部材を設け、該ガイド部材は、裏蓋を開放して前記フイルムパトローネを装填する時には前記スプロケットを乗り越えるようにフイルムリーダー部を案内することを特徴としている。
【００１０】
本発明によれば、アパーチャ部のスプール室側にガイド部材を備え、パトローネ室へのフイルムパトローネ挿入時にはガイド部材がフイルムリーダー部に当接して、フイルムリーダー部をスプロケットを乗り越えるように案内させるので、フイルムリーダー部とスプロケットとの干渉を防止できる。ガイド部材は、アパーチャ部の端部からスプール室側にオーバハングしているので、フイルム走行のじゃまにならない。
【００１１】
請求項２に記載された本発明によれば、ガイド部材はスプロケットよりもパトローネ挿入方向入口側に設けられているので、スプロケットを乗り越えるようにフイルムリーダー部を確実に案内できる。
【００１２】
請求項３に記載された本発明によれば、ガイド部材のパトローネ挿入口側には、フイルムを案内する傾斜ガイド面が形成されているので、フイルムリーダー部がガイド部材に引っ掛かることなくスムーズにフイルムパトローネを装填できる。
【００１３】
請求項４に記載された本発明によれば、ガイド部材は、裏蓋を閉じると、裏蓋の一部に押圧されて回動し、スプール室の一部を形成する。すなわち、スプール室側にオーバハングしたガイド部材によってスプール室に設けられたフイルム巻き取り用のスプールにフイルムリーダー部を巻き取らせるようにガイドできるので、フイルムリーダー部のジャミングを防止できる。これにより、スプロケットとフイルムとの干渉防止用のガイドと、スプールへのフイルム巻き取り用のガイドとを兼用できる。
【００１４】
なお、本発明は順装填ＤＩＬ方式／逆装填ＤＩＬ方式のいずれかを問わずに適用できるが、とくに逆装填ＤＩＬ方式、すなわちフイルムリーダー部の切り欠きが形成されていない方向からパトローネ室に落とし込む方式に本発明を適用すれば、逆装填ＤＩＬ方式においてフイルムパトローネの装填が容易に行なえ効果がある。
【発明の効果】
【００１５】
本発明によれば、フイルムリーダー部をスプロケットを乗り越えるように案内させるガイド部材を設けたので、フイルムパトローネの装填が容易に行なえる。
【発明を実施するための最良の形態】
【００１６】
以下、添付図面に従って本発明に係るドロップインローディング方式のカメラの好ましい実施の形態について詳説する。
【００１７】
図１は、本発明に係るドロップインローディング方式のカメラが適用されるコンパクトカメラの斜視図である。同図に示すようにこのコンパクトカメラ１０は、フイルムパトローネ１２を逆装填ＤＩＬ方式で装填するカメラであり、カメラ本体１４と、このカメラ本体１４のヒンジ１６によって回動自在に軸支された裏蓋１８などから構成されている。
【００１８】
カメラ本体１４の背面右側には、フイルムパトローネ１２が装填されるパトローネ室２０が配設されており、左側にはフイルム２２が巻き取られるスプール２４を備えたスプール室２６が配設されている。
【００１９】
パトローネ室２０とスプール室２６との間には、フイルム２２が走行するフイルム走行面２８が形成されており、フイルム走行面２８にはフイルム２２の露光範囲を規制するアパーチャ３０が形成されている。なお、カメラ本体１４上部に相当する位置にはファインダ３２が設けられている。
【００２０】
符号３４は、フイルム２２に形成されたパーフォレーション２２ａに噛み合ってフイルム２２を初期送りするスプロケットである。このスプロケット３４および前記スプール２４はカメラ本体１４内に設けられた不図示の駆動機構によって駆動される。スプロケット３４の歯３４ａにパーフォレーション２２ａが噛合された状態のまま図１における左方向にスプロケット３４が駆動されると、フイルム２２のフイルムリーダー部２２ｂがスプール室２６に送出される。この後、回転中のスプール２４に形成された爪２４ａとパーフォレーション２２ａとが噛み合うと、スプール２４にフイルム２２が巻き取られる。
【００２１】
裏蓋１８は、カメラ本体１４の背面を塞ぐ裏蓋本体１８ａと、パトローネ室２０の底面開口部（以下、装填口３６とする）を塞ぐ底蓋部１８ｂとで構成されている。また、裏蓋１８には、裏蓋１８を閉じた際に後述するガイド部材４０のカム４２に当接する突起部４４が形成されている。
【００２２】
なお、符号４６は、フイルム２２をスプール２４に押圧するフイルム押え用の板ばねである。また、符号４８は図示しないばねに付勢されてフイルム２２をアパーチャ３０のガイドレール４９に押し当てる圧板である。
【００２３】
パトローネ室２０には、フイルムパトローネ１２挿入時にフイルムパトローネ１２を位置決めするための位置決め部材５０が設けられている。この位置決め部材５０によって、フイルムパトローネ１２のフイルム出入口１２ａから繰り出されるフイルム２２をフイルム走行面２８に対して平行に繰り出させる位置にフイルムパトローネ１２が位置決めされる。
【００２４】
つぎに、図２において本発明の特徴たるガイド部材４０について説明する。
【００２５】
図２に示すように、アパーチャ３０とスプール室２６の間には、ガイド部材４０が設けられる。ガイド部材４０は、フイルムパトローネ１２挿入時にフイルム走行面２８から突出してフイルムリーダー部２２ｂがスプロケット３４に当らないようにガイドするとともに、裏蓋１８を閉じるとスプール室２６側に回動し、フイルムリーダー部２２ｂをスプールに巻き付けるようにガイドする。
【００２６】
ガイド部材４０はスプロケット３４よりもパトローネ挿入方向入口側（図１における装填口３６側）に設けられている。また、ガイド部材４０は二つのガイド面４０ａ，４０ｂを備えた断面が略三角形の形状を有し、フイルム走行面２８に対して進退可能に取り付けられている（図２矢印Ａ）。
【００２７】
図３に示すようにガイド部材４０は、その長手方向に沿って設けられた軸５２を介してカメラ本体１４に回動可能に軸支されている。軸５２には、装填口３６側すなわち図３における手前側に、前記裏蓋１８の突起部４４と当接するカム４２が取り付けられている。また、軸５２には一方の端部がカメラ本体１４に当接し、他方の端部がカム４２に形成されたピン５４に当接するねじりコイルばね５６が設けられ、これにより軸５２を中心にしてガイド部材４０がカム４２とともに図３における時計方向に付勢される。なお、図３は裏蓋１８を閉じた際のカム４２と突起部４４との関係を示すもので、突起部４４によってカム４２を押圧し、ガイド部材４０が回動して退避されている状態を示す。
【００２８】
この時には、ガイド部材４０はフイルム走行面２８からスプール室２６側に回動して退避する。スプール室２６は周壁２６ａからなる円筒状形状に形成され、前記ガイド部材４０の退避時には、同図に示すようにガイド部材４０はアパーチャ３０の端部からオーバハングしてガイド部材４０のガイド面４０ｂが周壁２６ａの略一部をなし、スプール室２６側に周壁２６ａを延長したことと同様となる。
【００２９】
このような構成のスプール室２６にフイルムリーダー部２２ｂが送出されると、フイルムリーダー部２２ｂが周壁２６ａに沿ってガイドされた後、ガイド面４０ｂに当接し、スプール２４方向に向けてガイドされる。これによりフイルムリーダー部２２ｂをスプール２４に確実に巻き付けることができる。
【００３０】
なお、図２に示したようにガイド部材４０は、裏蓋１８閉時においてフイルム走行面２８から端部４０ｃまでの高さｈ１がフイルム走行面２８からスプロケット３４の歯３４ａ先端までの高さｈ２よりも高くなるように設定されている（ｈ１＞ｈ２）。また、ガイド部材４０のフイルムパトローネ１２の挿入口側すなわち図２における手前側の端部には傾斜面６０が形成されている。この傾斜面６０は、フイルムパトローネ１２挿入時にフイルムリーダー部２２ｂの縁部がガイド部材４０の端部に当たることを防止するためのものである。
【００３１】
図１において、カメラ本体１４内上部における左側には、コンパクトカメラ１０の正面に閃光面を備えた閃光撮影用のストロボやファインダ３２の窓などが設けられているほか、カメラ本体１４の上面にはシャッターボタンなどが設けられている（これらは図示しない）。また、カメラ本体１４内部には上述した各機器のほか、撮影レンズ鏡筒内でのフォーカスレンズ系の駆動、フイルム巻き上げ・巻き取りなどを行なう駆動装置やコンデンサ、バッテリなどが適宜配設されている。
【００３２】
以下には、本発明に係るカメラの作用を説明する。
【００３３】
図１に示すフイルムパトローネ１２の装填時、すなわち裏蓋１８の開放時には、ガイド部材４０は同図実線で示すようにフイルム走行面２８上に進出している。このとき、フイルムパトローネ１２を装填口３６に挿入すると、はじめにフイルム出入口１２ａから突出したフイルムリーダー部２２ｂの縁部がガイド部材４０の傾斜面６０に当接して案内された後、ガイド部材４０（端部４０ｃ）にフイルム２２の背面が当接する。この状態のままさらにフイルムパトローネ１２を押し込むと、前述のようにガイド部材４０の端部４０ｃの高さがスプロケット３４の歯３４ａの高さよりも高く設定されていることから、フイルムリーダー部２２ｂの縁部がスプロケット３４の歯３４ａを乗り越え、フイルム２２が定位置、すなわちパーフォレーション２２ａと歯３４ａがフイルム２２の搬送方向に対して略並行となる位置まで案内される。したがって、フイルム２２がスプロケット３４の歯３４ａに引っ掛かることなく、フイルムパトローネ１２をスムーズに装填できる。
【００３４】
ついで、図３に示したように裏蓋１８を閉じると、裏蓋１８の突起部４４がカム４２に当接し、ガイド部材４０が回動されて、ガイド部材４０のガイド面４０ａ，４０ｂがフイルム走行面２８上から退避される。これにより、ガイド部材４０がフイルム２２の走行の妨げとなることがない。
【００３５】
図１において、スプロケット３４が駆動されてスプロケット３４の歯３４ａにパーフォレーション２２ａが噛み合うと、フイルムリーダー部２２ｂがスプール室２６まで送出される。
【００３６】
送出されたフイルムリーダー部２２ｂは、図３に示したように周壁２６ａに沿ってガイドされた後、アパーチャ３０からオーバハングしたガイド面４０ｂに当接してスプール２４方向に向けてガイドされる。この後、図４に示すように、スプール２４の爪２４ａにパーフォレーション２２ａが噛み合うと、スプール２４にフイルム２２が巻き取られる。なお、同図に示すように、フイルム２２の巻き取り時にフイルムリーダー部２２ｂがスプール２４から離れてしまう場合があるが、このような場合でもフイルムリーダー部２２ｂがガイド部材４０のガイド面４０ｂに当接し、スプール２４の巻き取り方向にガイドされるので、スプール室２６内でフイルムリーダー部２２ｂがジャミングを起こすことなく、スプール２４にフイルム２２を円滑に巻き取らせることができる。
【００３７】
このように本実施の形態に係るドロップインローディング方式のカメラによれば、ガイド部材４０によってフイルムパトローネ１２挿入時にフイルムリーダー部２２ｂとスプロケット３４との干渉を防止でき、フイルムパトローネ１２の装填が容易に行なえる。
【００３８】
上述したような実施の形態に示したドロップインローディング方式のカメラの構成は、前記実施の形態に限定されるものではない。たとえば、本発明に係るドロップインローディング方式のカメラはコンパクトカメラに適用した例を示したが、これに限定されず一眼レフカメラなどにも本発明を適用できる。
【図面の簡単な説明】
【００３９】
【図１】本発明の実施の形態に係るドロップインローディング方式のカメラが適用されたコンパクトカメラを示す斜視図
【図２】本発明の実施の形態に係るドロップインローディング方式のカメラが適用されたコンパクトカメラのガイド部材の詳細を示す部分拡大図
【図３】本発明の実施の形態に係るドロップインローディング方式のカメラが適用されたコンパクトカメラのガイド部材の作用を示すスプール室の断面図
【図４】本発明の実施の形態に係るドロップインローディング方式のカメラが適用されたコンパクトカメラのガイド部材の作用を示す斜視図
【符号の説明】
【００４０】
１０…コンパクトカメラ、１２…フイルムパトローネ、１２ａ…フイルム出入口、１４…カメラ本体、１８…裏蓋、２０…パトローネ室、２２…フイルム、２２ａ…パーフォレーション、２２ｂ…フイルムリーダー部、２４…スプール、２６…スプール室、２８…フイルム走行面、３０…アパーチャ、３４…スプロケット、３４ａ…歯、４０…ガイド部材、６０…傾斜面
【図１】
2005274998.tif 000003
【図２】
2005274998.tif 000004
【図３】
2005274998.tif 000005
【図４】
2005274998.tif 000006